(57)【特許請求の範囲】
【請求項１】
屋根下地材としての野地板と、前記野地板の裏側に設けられたフレーム材とを有する屋根パネルが、前記フレーム材が建物本体側に連結された状態で複数並設されて屋根が構成される建物の屋根構造であって、
前記建物本体には前記屋根パネルを支持する束が設けられており、
隣り合う２つの屋根パネルが、それらの各野地板間に所定の隙間が形成されるようにして配置され、前記隣り合う２つの屋根パネルの少なくともいずれかの屋根パネルは、野地板の側方にはみ出して他方の屋根パネル側に延びる延出部を有しており、
前記延出部の先端部では、前記束の上端部において前記隣り合う２つの屋根パネルが互いに連結されていることを特徴とする建物の屋根構造。
【請求項２】
前記複数の屋根パネルの少なくともいずれかにおいて、前記フレーム材が、その一部が前記野地板の側方にはみ出して設けられており、そのはみ出した部分が前記延出部となっていることを特徴とする請求項１に記載の建物の屋根構造。
【請求項３】
前記複数の屋根パネルの少なくともいずれかにおいて、前記フレーム材として前記野地板の端縁に沿って延びる端縁フレーム材を備え、
前記端縁フレーム材は、その一部が前記野地板の側方にはみ出して設けられており、そのはみ出した部分が前記延出部となっていることを特徴とする請求項１又は２に記載の建物の屋根構造。
【請求項４】
前記複数の屋根パネルには、前記野地板が直角三角形状に形成された三角屋根パネルが含まれており、
前記三角屋根パネルは、前記端縁フレーム材として前記野地板の斜辺に沿って延びる斜めフレーム材を備えることを特徴とする請求項３に記載の建物の屋根構造。
【請求項５】
大棟と隅棟とを有する寄棟部を有する屋根に適用され、
前記三角屋根パネルは、屋根において隅棟と軒先との間の隅部に設けられており、前記斜めフレーム材が隅棟に沿って延びるように、かつ、当該三角屋根パネルの延出部が同延出部により連結される相手側の屋根パネルに向けて延びるように配置されていることを特徴とする請求項４に記載の建物の屋根構造。
【請求項６】
前記隣り合う２つの屋根パネルの各野地板間に形成された前記隙間には、該隙間を塞ぐための目板が配設され、該目板が前記屋根パネルのフレーム材に連結されていることを特徴とする請求項１乃至５のいずれか一項に記載の建物の屋根構造。
【請求項７】
前記目板は、前記隣り合う２つの屋根パネルのうちいずれかに対して折り畳み可能に連結されていることを特徴とする請求項６に記載の建物の屋根構造。
【発明の詳細な説明】
【技術分野】
【０００１】
本発明は、建物の屋根構造に関する。
【背景技術】
【０００２】
住宅等の建物では、柱や梁等を組み付けて構築される建物本体上に複数の束を立設するとともに複数のブラケットを設置し、それら各束及び各ブラケットによって複数の屋根パネルを支持することにより屋根を形成する屋根構造が採用されている。例えば、寄棟屋根においては、屋根パネルとして、三角形状に形成されたもの、台形形状に形成されたもの等、様々な形状のものが用いられる。かかる屋根パネルは製造工場において予め製造された後、トラックに積載されて施工現場へ搬送される。具体的には、屋根パネルは、トラックにおいて横倒しにした状態で上下に多段積みにされて搬送される。
【０００３】
ところで、トラックによる屋根パネルの搬送は、搬送コストの増大を抑制するためにはできる限り少ない台数で行うのが望ましい。そのため、従来より屋根パネルの運搬効率を向上させるために様々な積載方法が考えられており、例えば特許文献１には、直角三角形状に形成された一対の屋根パネルを、互いの短辺同士を対向させ、かつ、互いの長辺をトラックの荷台の前後方向に向けた状態でトラックに積載する積載方法が示されている。これによれば、直角三角形状の屋根パネルを各段に二つずつ積載することができるため、運搬効率の向上を図ることができる。
【先行技術文献】
【特許文献】
【０００４】
【特許文献１】特開２００１−８８６０３号公報
【発明の概要】
【発明が解決しようとする課題】
【０００５】
しかしながら、上記特許文献１の積載方法では、屋根パネルの大きさが所定の大きさを超えると、対にした屋根パネルの長手方向の長さ（つまり、屋根パネルの長辺部が延びる方向の長さ）がトラックの荷台長さよりも大きくなり、その結果二つの屋根パネルをトラックに積載できなくなることが考えられる。そのため、かかる場合には、屋根パネルを各段に一つずつ積載せざるをえず、結果として輸送効率の低下を招くおそれがある。
【０００６】
一方、屋根パネルを上記の積載方法で積載できる大きさに小さく分割することも考えられるが、この場合には屋根パネルの個数が増加し、ひいては屋根パネルを支持するための支持部材の個数が増加することが想定される。そのため、支持部材の設置工数や支持部材に対する屋根パネルの取付工数（つまりは屋根の施工工数）の増大を伴うおそれがある。
【０００７】
また、かかる問題は、三角形状の屋根パネルをトラックに積載する場合においてのみ生じる問題ではなく、その他の形状の屋根パネルにおいても同様に生じうる問題である。例えば、四角形状の屋根パネルをトラックの長手方向に横並びに二つ積載しようとする場合にも同様の問題が生じうる。
【０００８】
本発明は、上記事情に鑑みてなされたものであり、屋根パネルの小型化により同屋根パネルの運搬効率を向上させ、しかも屋根施工工数の増大を抑制することができる建物の屋根構造を提供することを主たる目的とするものである。
【課題を解決するための手段】
【０００９】
上記課題を解決すべく、第１の発明の建物の屋根構造は、屋根下地材としての野地板と、前記野地板の裏側に設けられたフレーム材とを有する屋根パネルが、前記フレーム材が建物本体側に連結された状態で複数並設されて屋根が構成される建物の屋根構造であって、隣り合う２つの屋根パネルが、それらの各野地板間に所定の隙間が形成されるようにして配置され、前記隣り合う２つの屋根パネルの少なくともいずれかの屋根パネルは、野地板の側方にはみ出して他方の屋根パネル側に延びる延出部を有し、前記延出部の先端部において前記隣り合う２つの屋根パネルが互いに連結されていることを特徴とする。
【００１０】
本発明によれば、隣り合う２つの屋根パネルが、それらの各野地板間に所定の隙間が形成されるようにして配置されている。そして、この配置状態において、これら２つの屋根パネルは、少なくともいずれかの屋根パネルが有する延出部の先端部において連結されている。この場合、２つの屋根パネルが隣接配置される構成において、延出部を有する屋根パネルの野地板の大きさを、延出部を有しない通常の屋根パネルの野地板の大きさよりも延出部が形成される分小さくすることができる。したがって、屋根パネルをトラックの荷台に積載して運搬するに際し運搬効率を向上させることができる。
【００１１】
また、隣り合う２つの屋根パネルの少なくともいずれかが有する延出部の先端部において、これら各屋根パネルが互いに連結されているため、その連結部を下方から支持する支持部材を設置等することで、当該支持部材により両屋根パネルを共通に支持することができる。そのため、屋根パネルを小型化しつつも支持部材の個数を増やす必要がなく、その結果支持部材の個数増加に伴う支持部材の設置工数の増大や支持部材に対する屋根パネルの取付工数（つまり屋根の施工工数）の増大等を抑制できる。よって、屋根パネルの小型化により同屋根パネルの運搬効率を向上させ、しかも屋根施工工数の増大を抑制することができる。
【００１２】
第２の発明の建物の屋根構造は、第１の発明において、前記複数の屋根パネルの少なくともいずれかにおいて、前記フレーム材が、その一部が前記野地板の側方にはみ出して設けられており、そのはみ出した部分が前記延出部となっていることを特徴とする。
【００１３】
本発明によれば、屋根パネルのフレーム材を用いて延出部を構成しているため、フレーム材以外の部材を用いて延出部を構成する必要がない。したがって、屋根パネルに延出部を設ける場合において、屋根パネルの構成が煩雑化するのを抑制できる。
【００１４】
第３の発明の建物の屋根構造は、第１又は第２の発明において、前記複数の屋根パネルの少なくともいずれかにおいて、前記フレーム材として前記野地板の端縁に沿って延びる端縁フレーム材を備え、前記端縁フレーム材は、その一部が前記野地板の側方にはみ出して設けられており、そのはみ出した部分が前記延出部となっていることを特徴とする。
【００１５】
本発明によれば、屋根パネルの野地板の端縁に沿って延びる端縁フレーム材に延出部を設ける構成としたため、例えば屋根パネルをトラックの荷台において一段につき二つ横倒しで積載する場合には、一方の屋根パネルの延出部と、他方の屋根パネルの野地板とを荷台上において左右（荷台前後方向に対して左右）に並べて配置できる。これにより、より一層屋根パネルの運搬効率を向上させることができる。
【００１６】
第４の発明の建物の屋根構造は、第３の発明において、前記複数の屋根パネルには、前記野地板が直角三角形状に形成された三角屋根パネルが含まれており、前記三角屋根パネルは、前記端縁フレーム材として前記野地板の斜辺に沿って延びる斜めフレーム材を備えることを特徴とする。
【００１７】
直角三角形の場合、同三角形の各辺をそれぞれ底辺とする３つの高さは、斜辺を底辺とする高さが最も小さくなる。そのため、直角三角形状の屋根パネルをトラックの荷台に積載する場合には、その積載効率からすれば、斜辺が荷台前後方向に延びる向きとして配置するのが望ましい。そして、かかる向きで一対の屋根パネルを荷台に積載する場合には、各屋根パネルの野地板が荷台前後方向に並ぶように積載することが考えられる。そこで、本発明ではこの点に鑑みて、直角三角形状の屋根パネルにおいて斜辺に沿って延びる斜めフレーム材に延出部を設ける構成としている。この構成によれば、一対の屋根パネルを上記のように積載する場合に、一方の屋根パネルの延出部を他方の屋根パネルの野地板と左右に並べて配置できるため、荷台への積載性を考慮して野地板を最大限に大きくしつつも、上記第３の発明の効果を得ることができる。
【００１８】
第５の発明の建物の屋根構造は、第４の発明において、大棟と隅棟とを有する寄棟部を有する屋根に適用され、前記三角屋根パネルは、屋根において隅棟と軒先との間の隅部に設けられており、前記斜めフレーム材が隅棟に沿って延びるように、かつ、当該三角屋根パネルの延出部が同延出部により連結される相手側の屋根パネルに向けて延びるように配置されていることを特徴とする。
【００１９】
一般に寄棟部を有する屋根においては、隅棟と軒先との間の隅部に直角三角形状をなした屋根パネルが配設される。そして、かかる屋根パネルは、隅棟に沿って延びる斜辺の大棟側の端部において、隣接する屋根パネルとともに束により支持されるのが通常である。そこで、本発明では、その点に着目し、第４の発明における三角屋根パネルを斜めフレーム材が隅棟に沿って延びるように、かつ、当該三角屋根パネルの延出部が同延出部により連結される相手側の屋根パネルに向けて延びるように配置している。この場合、斜めフレーム材の延出部の端部位置を束により支持される支持位置に合わせつつ野地板の大きさを小さくすることができるため、寄棟部を有する屋根において上記第４の発明の効果を得ることができる。
【００２０】
第６の発明の建物の屋根構造は、第１乃至第５のいずれかの発明において、建物本体には前記屋根パネルを支持する束が設けられており、前記延出部の先端部では、前記束の上端部において前記隣り合う２つの屋根パネルが互いに連結されていることを特徴とする。
【００２１】
本発明によれば、複数の屋根パネルを束により支持する構成において、隣り合う２つの屋根パネルが延出部の先端部で束の上端部において互いに連結されている。この場合、隣り合う２つの屋根パネルを共通の束により支持することができるため、束の設置本数の増大ひいては束の設置工数の増大を抑制できる。
【００２２】
第７の発明の建物の屋根構造は、第１乃至第６のいずれかの発明において、前記隣り合う２つの屋根パネルの各野地板間に形成された前記隙間には、該隙間を塞ぐための目板が配設され、該目板が前記屋根パネルのフレーム材に連結されていることを特徴とする。
【００２３】
本発明によれば、隣り合う２つの屋根パネルの各野地板間に形成された隙間に目板を配設することにより、各野地板と目板とにより連続した屋根下地を形成することができる。これにより、上記第１の発明の効果を得つつ、屋根全域に瓦等の床仕上げ材を葺設することが可能となる。
【００２４】
第８の発明の建物の屋根構造は、第７の発明において、前記目板は、前記隣り合う２つの屋根パネルのうちいずれかに対して折り畳み可能に連結されていることを特徴とする。
【００２５】
本発明によれば、例えば屋根パネルの搬送時においては目板を折り畳んだ状態で屋根パネルをトラックに積載し、施工時においては目板を展開することで目板を隣り合う２つの屋根パネルの各野地板間の隙間に設置することができる。これにより、目板の設置作業を簡易化することができる。
【００２６】
第９の発明の屋根パネルは、複数並設されることにより屋根を構成するとともに、屋根下地材としての野地板と、前記野地板の裏側に設けられ建物本体側に連結されるフレーム材とを備える屋根パネルにおいて、前記野地板は直角三角形状に形成されているとともに、前記フレーム材として前記野地板の斜辺に沿って延びる斜めフレーム材を備え、前記斜めフレーム材は、その長手方向の一端側にて前記野地板の側方にはみ出した延出部を有していることを特徴とする。
【００２７】
本発明における屋根パネル（以下、本屋根パネルという）には、直角三角形状に形成された野地板の斜辺に沿って延びる斜めフレーム材が設けられ、その斜めフレーム材に延出部が設けられている。そのため、その延出部の先端部において本屋根パネルを、本屋根パネルと隣り合う屋根パネル（以下、隣接屋根パネルという）に対して連結させる構成とすれば、本屋根パネルと隣接屋根パネルとを共通の支持部材で支持することが可能となる。したがって、この場合、屋根パネルの設置工数の増大を伴うことがない。
【００２８】
また、このように本屋根パネルと隣接屋根パネルとを隣接配置する場合、本屋根パネルの野地板と隣接屋根パネルの野地板との間には所定の隙間が形成される。したがって、この場合、本屋根パネルの野地板の大きさを、延出部を有しない通常の屋根パネルの野地板の大きさよりも延出部が形成される分小さくすることができるため、屋根パネルの運搬効率を向上させることができる。よって、上記のように本屋根パネルを設置することで、上記第１の発明と同様の効果が得られる。
【００２９】
さらには、本屋根パネルは野地板が直角三角形状に形成されているとともに、斜めフレーム材に延出部が設けられていることから、上記第２乃至４の発明と同様の効果も得られる。
【００３０】
第１０の発明の屋根パネルの運搬方法は、第９の発明の屋根パネルをトラックの荷台に積載し運搬する屋根パネルの運搬方法であって、一対の屋根パネルを、前記荷台上の同一段において各屋根パネルの斜めフレーム材が荷台前後方向に延びかつ各屋根パネルの野地板が荷台前後方向に並び、さらに一方の屋根パネルの延出部と他方の屋根パネルの野地板とが隣り合うようにして配置し、各一対の屋根パネルを多段に積み重ねて運搬することを特徴とする。
【００３１】
本発明によれば、トラックの荷台上の同一段に一対の屋根パネルを積載する場合に、一方の屋根パネルの延出部と他方の屋根パネルの野地板とが隣り合うようにして配置することができるため、上記第４の発明と同様の効果を得ることができる。
【図面の簡単な説明】
【００３２】
【図１】建物全体を示す概略図。
【図２】屋根全体を示す平面図。
【図３】（ａ）が三角屋根パネルの構成を示す平面図、（ｂ）が三角屋根パネルの構成を示す側面図。
【図４】三角屋根パネル周辺の設置構成を示す平面図。
【図５】束周辺の構成を示す縦断面図。
【図６】三角屋根パネルの積載状態を示す平面図。
【図７】目板を平側屋根パネルに折り畳み可能に連結した状態を示す平面図。
【図８】別例における三角屋根パネルを示す平面図。
【発明を実施するための形態】
【００３３】
以下に、一実施の形態について図面を参照しつつ説明する。本実施形態では、寄棟屋根を有するユニット式建物について具体化している。なお、図１は、建物全体を示す概略図であり、図２は、屋根全体を示す平面図である。
【００３４】
図１に示すように、建物１０は、基礎１１上に配設された建物本体１２と、建物本体１２の上方に配設された屋根１３とにより構成されている。建物本体１２は、複数の建物ユニット１５が連結されてなる二階建ての建物である。建物本体１２上には、複数のブラケット１６及び複数の束１７が設けられており、これら各ブラケット１６及び各束１７により屋根１３が支持される構成となっている。
【００３５】
図２に示すように、屋根１３は、その頂部において水平方向に延びる大棟１８と、大棟１８の両端部から当該屋根の隅部２２に向かって延びる隅棟１９とを有する寄棟屋根である。屋根１３は、大棟１８及び隅棟１９により区画された４面の屋根からなり、具体的には平側において台形形状に形成された一対の平側屋根１３ａと、妻側において三角形状に形成された一対の妻側屋根１３ｂとからなる。
【００３６】
本実施形態の屋根１３は、形状の違いにより分類される複数の屋根パネル３０，４０，５０により構成されており、これら各屋根パネル３０，４０，５０はパネル製造工場から建物施工現場に運搬する際の都合に合わせて分割されている。屋根パネル３０，４０，５０は、各屋根１３ａ，１３ｂにおいて、軒先２１の延びる方向に沿って複数横並びに設けられている。具体的には、平側屋根１３ａには、平面視において屋根１３の隅部２２に配置された一対の三角屋根パネル３０と、各三角屋根パネル３０の間に配置された一対の平側屋根パネル４０とが設けられている。三角屋根パネル３０（詳細には、野地板３１）と平側屋根パネル４０（詳細には、野地板４１）とは互いに離間して設けられており、これら各屋根パネル３０，４０の間の開口領域Ｓには目板６０（図２においてハッチングを付して示す）が配設されている。一方、妻側屋根１３ｂには、平面視において屋根１３の隅部２２に配置された一対の三角屋根パネル３０と、各三角屋根パネル３０の間に配置された妻側屋根パネル５０とが設けられている。三角屋根パネル３０（詳細には、野地板３１）と妻側屋根パネル５０（詳細には、野地板５１）とは互いに離間して設けられており、これら各屋根パネル３０，５０の間の開口領域Ｓには目板６０が配設されている。
【００３７】
なお、各屋根パネル３０，４０，５０の形状について簡単に説明すると、三角屋根パネル３０が全体として直角三角形状をなしており、平側屋根パネル４０が長方形状の一つの隅が切り欠かれることにより形成された五角形状をなしており、妻側屋根パネル５０が略ホームベース形状をなしている。また、各屋根１３ａ，１３ｂには、それぞれ二つずつ三角屋根パネル３０が配設されているが、これら二つの三角屋根パネル３０は各々の屋根１３ａ，１３ｂにおいて軒先２１が延びる方向における中間位置に対して対称形状をなしている。そして、各平側屋根１３ａには、それぞれ二つずつ平側屋根パネル４０が配設されているが、これら二つの平側屋根パネル４０は各々の平側屋根１３ａにおいて軒先２１が延びる方向における中間位置に対して対称形状をなしている。さらに、屋根１３には８つの三角屋根パネル３０が配設されているが、本実施形態ではこれら各三角屋根パネル３０の外形寸法が略同じに設定されている。
【００３８】
ブラケット１６は、建物本体１２の外周部に沿って複数設けられている。図２では、ブラケット１６の設置位置を丸印で示している。ブラケット１６には、屋根パネル３０，４０，５０同士が隣接する部位に配置されたブラケット１６ａと、屋根パネル３０，４０，５０と目板６０とが隣接する部位に配置されたブラケット１６ｂとが設けられている。ここで、ブラケット１６ａが隣接する２枚の屋根パネル３０，４０，５０を支持し、ブラケット１６ｂが１枚の屋根パネル３０，４０，５０を支持する構成となっている。
【００３９】
束１７は、平面視において建物本体１２の中央側に複数配置されている。図２では、束１７の設置位置を四角印で示している。束１７には、平側屋根パネル４０及び妻側屋根パネル５０が隣接する部位に配置された束１７ａと、平側屋根パネル４０同士が隣接する部位に配置された束１７ｂとが設けられている。ここで、束１７ａが隣接する平側屋根パネル４０及び妻側屋根パネル５０とともに２枚の隣接する三角屋根パネル３０を支持し（その支持構成の詳細は後述する）、束１７ｂが２枚の隣接する平側屋根パネル４０を支持する構成となっている。
【００４０】
上記各屋根パネル３０，４０，５０は、屋根下地材としての野地板と、野地板の裏側に設けられたフレーム材とを有しており、フレーム材が建物本体１２側に連結されることにより固定されている。本実施形態では、上記各屋根パネル３０，４０，５０のうち、三角屋根パネル３０については、フレーム材の一部が野地板からはみ出しており、そのはみ出した部分が建物本体１２側に連結されている。本実施形態は、その点に特徴を有しており、以下ではこのはみ出し部分を有する三角屋根パネル３０の構成について図３に基づいて説明する。なお、図３は、三角屋根パネル３０の構成を示しており、（ａ）が三角屋根パネル３０の平面図、（ｂ）が三角屋根パネル３０の側面図である。また、図３では、各屋根１３ａ，１３ｂにおいて軒先２１側から見て左側に配置された三角屋根パネル３０（図２参照）を示している。
【００４１】
図３に示すように、三角屋根パネル３０は、屋根下地材としての野地板３１と、野地板３１の裏面側に固定されたパネルフレーム３２と、屋根１３の軒先２１に設置される鼻先木３３と、目板６０を支持するための目板支持材３４とを備えている。
【００４２】
野地板３１は、直角三角形状をなしており、例えばパーティクルボードにより形成されている。なお、図３（ａ）では便宜上、野地板３１の外形線を仮想線（二点鎖線）で示している。野地板３１は、直角部を挟んで隣り合う２つの隣辺３１ａ，３１ｂを有しており、そのうち一方の隣辺３１ａが屋根１３の傾斜方向に沿って延びるように配置され、他方の隣辺３１ｂが軒先２１に沿って配置される。
【００４３】
パネルフレーム３２は、隅棟フレーム材３５と、垂木フレーム材３６と、複数の母屋フレーム材３７とを備え、これら各フレーム材３５〜３７が連結されることにより構成されている。
【００４４】
隅棟フレーム材３５及び垂木フレーム材３６は、野地板３１の端縁に沿って延びる端縁フレーム材であり、断面略コ字状の軽量鉄骨材からなる長尺状部材により形成されている。これら各フレーム材３５，３６は、野地板３１の裏側に配置されており、そのうち垂木フレーム材３６が野地板３１の端縁長さと略同じ長さで設けられているのに対し、隅棟フレーム材３５が野地板３１から一部はみ出した状態で設けられている。
【００４５】
これら各フレーム材３５，３６について詳しく説明すると、垂木フレーム材３６は、野地板３１の隣辺３１ａの長さと略同じ長さで形成されており、そのコ字状開口部を内側に向けた状態で野地板３１の隣辺３１ａに沿って延びるように設けられている。一方、隅棟フレーム材３５は、野地板３１の斜辺３１ｃの長さよりも長い長さ寸法を有して形成されており、そのコ字状開口部を内側に向けた状態で野地板３１の斜辺３１ｃに沿って延びるように設けられている。隅棟フレーム材３５は、その長手方向の一端部が野地板３１の隣辺３１ａからはみ出しており、そのはみ出した部分が延出部３５ａとなっている。また、隅棟フレーム材３５は、垂木フレーム材３６の隅棟フレーム材３５側の端部に連結金具３８により連結されている。なお、詳細には、隅棟フレーム材３５は、その上下のフランジ部が屋根１３の傾斜に合わせて曲げられているため、その断面形状がコ字状を若干変形させたものとなっている。
【００４６】
隅棟フレーム材３５の延出部３５ａの先端部には、平板状の固定プレート３９が溶接により固定されている。固定プレート３９は、三角屋根パネル３０を束１７（詳細には束１７ａ）に固定するための固定部材である。固定プレート３９は、隅棟フレーム材３５の下フランジ３５ｂの上面（内側面）に固定されており、下フランジ３５ｂよりも側方に突出するように設けられている。固定プレート３９には、隅棟フレーム材３５と重なり合う部位に後述する固定ボルト７１が挿通される固定用孔３９ａが設けられ、上記突出した部位に三角屋根パネル３０の位置決めに用いられるしの孔３９ｂが設けられている。なお、隅棟フレーム材３５の下フランジ３５ｂには、固定プレート３９の固定用孔３９ａと対応する位置に逃がし孔（図示略）が設けられている。
【００４７】
母屋フレーム材３７は、木質系材料よりなる角材により形成されている。各母屋フレーム材３７は、野地板３１の隣辺３１ｂに沿って延びる向きで、かつ、隅棟フレーム材３５と垂木フレーム材３６との間に所定間隔をおいて架け渡されている。各母屋フレーム材３７は、その長手方向両端部がそれぞれ隅棟フレーム材３５及び垂木フレーム材３６に対しビス等で固定されており、これによりパネルフレーム３２が一体化されている。そして、野地板３１は、パネルフレーム３２において各母屋フレーム材３７の上面に設置され、その設置状態でビス等により各母屋フレーム材３７に固定されている。
【００４８】
鼻先木３３は、野地板３１の隣辺３１ｂと略同じ長さに形成されており、野地板３１の裏側において野地板３１の隣辺３１ｂに沿って隅棟フレーム材３５及び垂木フレーム材３６の端部間に架け渡されている。鼻先木３３は、その長手方向の両端部が隅棟フレーム材３５及び垂木フレーム材３６に対しビス等により固定されている。
【００４９】
なお、本実施形態では、平側屋根パネル４０及び妻側屋根パネル５０にも同様に、予め鼻先木４３，５３（図４参照）が取り付けられるようになっている。
【００５０】
目板支持材３４は、木質系の角材よりなる長尺状部材であり、垂木フレーム材３６の外側面（詳細にはウェブ面）に対し当該垂木フレーム材３６に沿ってビス等により取り付けられている。詳細には、目板支持材３４は、その上面が母屋フレーム材３７の上面と略面一となるように垂木フレーム材３６に取り付けられている。なお、目板支持材３４は、長手方向の中間部においてその一部が取り除かれており、その取り除かれた部位にはブラケット１６が配設されるようになっている。
【００５１】
次に、上記のように構成される三角屋根パネル３０の設置構成について図４に基づいて説明する。なお、図４は三角屋根パネル３０周辺の設置構成を示す平面図である。
【００５２】
図４に示すように、三角屋根パネル３０は、各屋根１３ａ，１３ｂの隅部において、隅棟フレーム材３５が屋根１３の隅棟１９に沿って延びるように、かつ、隅棟フレーム材３５の延出部３５ａが平側屋根パネル４０側又は妻側屋根パネル５０側を向くように設けられている。この設置状態において、隅棟フレーム材３５は、延出部３５ａの先端部が同先端部の下方に配設された束１７ａにより支持されている。具体的には、隅棟１９を挟んで隣接配置されている一対の三角屋根パネル３０の各隅棟フレーム材３５がそれぞれ延出部３５ａの先端部において共通の束１７ａにより支持されている。
【００５３】
ここで、三角屋根パネル３０の束１７ａに対する支持構成について図４に加え図５を参照しつつ説明する。なお、図５は、束１７ａ周辺の構成を示す縦断面図であり、図４のＡ−Ａ線断面図である。
【００５４】
図５に示すように、束１７ａは、建物ユニット１５（詳細には上階の建物ユニット）の天井大梁２５上に設けられた平板状のベースプレート６３と、ベースプレート６３から上方に延びる束本体６４と、束本体６４の上端部に固定された一対のパネル支持部６５，６６とを備えている。ベースプレート６３は、建物ユニット１５の天井大梁２５の上面に設けられており、天井大梁２５の上面に対してボルト等により固定されている。束本体６４は、角形鋼管により構成されている。
【００５５】
一対の各パネル支持部６５，６６は、図４に示すように、束本体６４から直交する２方向に略水平に延びるように設けられ、平面視において略Ｌ字状をなしている。具体的には、一方のパネル支持部６５が大棟１８の延びる方向に沿って平側屋根パネル４０側に向かって延びており、他方のパネル支持部６６が大棟１８と直交する方向に沿って妻側屋根パネル５０側に向かって延びている。各パネル支持部６５，６６は、鋼板が折り曲げられることにより形成されており、束本体６４の軒先２１側の側面に固定された固定板部６５ａ，６６ａと、固定板部６５ａ，６６ａの上端部から斜め上方に屋根１３の傾斜面に沿って延びる支持板部６５ｂ，６６ｂとを有している。支持板部６５ｂ，６６ｂには、軒先２１の延びる方向における両端部に一対の固定用孔６７，６８が設けられ、これら各固定用孔６７，６８の中間位置にしの孔（図示略）が設けられている。
【００５６】
パネル支持部６５の支持板部６５ｂ上には、三角屋根パネル３０の隅棟フレーム材３５の延出部３５ａが、詳細にはその先端部が支持されている。三角屋根パネル３０は、固定プレート３９の固定用孔３９ａが支持板部６５ｂの固定用孔６７と位置合わせされた状態で、固定ボルト７１が両固定用孔３９ａ，６７に挿通されてナット（図示略）と締結されることにより束１７ａに固定されている。なお、三角屋根パネル３０の位置合わせは、固定プレート３９に設けられたしの孔３９ｂとパネル支持部６５のしの孔とを用いて行われる。
【００５７】
また、パネル支持部６５の支持板部６５ｂの上面には、さらに平側屋根パネル４０の
三角屋根パネル３０側の端縁部（換言すれば目板６０と隣接する側の端縁部）が支持されている。詳細には、平側屋根パネル４０の裏面には同端縁部に沿って垂木フレーム材４６が延びるように設けられており、その垂木フレーム材４６の隅棟１９側端部が支持板部６５ｂ上に支持されている。平側屋根パネル４０は、垂木フレーム材４６に予め設けられた固定用孔（図示略）が支持板部６５ｂの固定用孔６８と位置合わせされた状態で支持されており、その支持状態で固定ボルト７２が両固定用孔６８に挿通されてナット（図示略）と締結されることにより束１７ａに固定されている。以上のように、パネル支持部６５には、三角屋根パネル３０と平側屋根パネル４０とが固定されている。
【００５８】
一方、パネル支持部６６の上面には、三角屋根パネル３０と妻側屋根パネル５０とが支持されており、それぞれ固定ボルト７１，７２によりパネル支持部６６に固定されている。パネル支持部６６に対する三角屋根パネル３０及び妻側屋根パネル５０の支持固定の構成は、上述したパネル支持部６５側の構成と同様であるため、ここでは詳細な説明を省略する。
【００５９】
図４の説明に戻り、上述したように三角屋根パネル３０は、延出部３５ａが隣り合う平側屋根パネル４０側又は妻側屋根パネル５０側に延びているのに対し、その野地板３１が平側屋根パネル４０（詳細には野地板４１）又は妻側屋根パネル５０（詳細には野地板５１）と離間して配置されている。三角屋根パネル３０の目板支持材３４はその離間配置により形成された開口領域Ｓに面して設置されており、平側屋根パネル４０及び妻側屋根パネル５０にも目板支持材３４と開口領域Ｓを挟んで対向するように目板支持材４４，５４が取り付けられている。詳細には、目板支持材４４，５４は垂木フレーム材４６の開口領域Ｓに面した側面に対し、その上面が三角屋根パネル３０の目板支持材３４の上面と略面一となるように取り付けられている。また、三角屋根パネル３０の鼻先木３３は、屋根１３の軒先２１に沿って配置され、同様に平側屋根パネル４０の鼻先木４３及び妻側屋根パネル５０の鼻先木５３も軒先２１に沿って配置される。
【００６０】
三角屋根パネル３０の野地板３１と平側屋根パネル４０の野地板４１との間及び三角屋根パネル３０の野地板３１と妻側屋根パネル５０の野地板５１との間（つまり開口領域Ｓ）には、目板６０が配設されている。目板６０は、各屋根パネル３０，４０，５０の野地板３１，４１，５１と同一の素材からなり、例えば野地板３１，４１，５１を形成する際に発生する端材を用いて形成されている。目板６０は、各屋根パネル３０，４０，５０の目板支持材３４，４４，５４上に載置されており、その状態で目板支持材３４，４４，５４にビス等で固定されている。これにより、各屋根パネル３０，４０，５０と目板６０とにより連続した屋根下地面が形成され、この屋根下地面上に瓦等の床仕上げ材が葺設されることで屋根１３が形成される。なお、目板６０の設置後、目板６０の軒先２１側端部における下面側には、同端部に沿って鼻先木６２が取り付けられる。これにより、当該鼻先木６２と各屋根パネル３０，４０，５０の鼻先木３３，４３，５３とにより軒先２１全域に鼻先木３３，４３，５３，６２が設置される。
【００６１】
ところで、屋根パネル３０，４０，５０は、予め工場において製造された後、トラックに積載され施工現場まで搬送される。具体的には、トラックの荷台７５は左右の横幅よりも前後幅の方が長い矩形形状をなしており、この荷台７５に複数の屋根パネル３０，４０，５０が多段に積み重ねられて積載される。そこで、以下において、三角屋根パネル３０の積載方法について図６を参照しつつ説明する。なお、図６は、三角屋根パネル３０の積載状態を示す平面図である。
【００６２】
図６に示すように、三角屋根パネル３０は、トラックの荷台７５において、野地板３１が上側に位置する状態で１段につき２つ積載される。図６では、各屋根１３ａ，１３ｂにおいて軒先２１側から見て左側に配置された三角屋根パネル３０（図２参照）を二つ一組で積載した状態を示している。各三角屋根パネル３０は、荷台７５上において、隅棟フレーム材３５が荷台７５の前後方向（長手方向）に延びた状態で、かつ、各三角屋根パネル３０の野地板３１が荷台７５の前後方向に並んだ状態で積載される。また、各三角屋根パネル３０は、一方の三角屋根パネル３０の隅棟フレーム材３５の延出部３５ａと他方の三角屋根パネル３０の野地板３１とが荷台７５の左右方向（幅方向）に隣り合うようにして配置されており、全体としては一対の三角屋根パネル３０は平面視平行四辺形状を形成する。この場合、荷台７５への積載性を考慮して野地板３１を最大限に大きくしつつも延出部３５ａが積載の邪魔になるのを抑制することができるため、三角屋根パネル３０の積載効率の向上を図ることができる。
【００６３】
なお、この積載状態において、荷台７５の前側に設けられた三角屋根パネル３０の鼻先木３３は当該屋根パネル３０において前側に配置され、荷台７５の後ろ側に設けられた三角屋根パネル３０の鼻先木３３は当該屋根パネル３０において後ろ側に配置される。そのため、屋外側に露出した状態で設置される鼻先木３３が他方の三角屋根パネル３０に干渉し傷付くのを抑制できる。
【００６４】
なお、上下に隣接する各屋根パネル３０，４０，５０の間には毛布等のシート類を介在させておき、隣接する屋根パネル３０，４０，５０同士が擦れ合ったりすることで損傷するのを防止するのが望ましい。
【００６５】
以上、詳述した本実施形態の構成によれば、以下の優れた効果が得られる。
【００６６】
隣り合う二つの屋根パネル３０，４０（又は５０）を各野地板３１，４１（又は５１）間に開口領域Ｓが形成されるように配置するとともに、三角屋根パネル３０において野地板３１の斜辺３１ｃに沿って延びる隅棟フレーム材３５には野地板３１からはみ出して他方の屋根パネル４０（又は５０）側に延びる延出部３５ａを設けた。そして、その延出部３５ａの先端部において、これら二つの屋根パネル３０，４０（又は５０）を束１７ａを介して連結させた。この場合、三角屋根パネル３０と平側屋根パネル４０（又は妻側屋根パネル５０）とが隣接配置される構成において、三角屋根パネル３０の野地板３１の大きさを、延出部を有しない通常の三角屋根パネルの野地板の大きさよりも開口領域Ｓの大きさ分小さく形成することができる。したがって、三角屋根パネル３０をトラックの荷台７５に積載するに際し、積載効率を向上させることができる。
【００６７】
また、延出部３５ａの先端部において三角屋根パネル３０と平側屋根パネル４０（又は妻側屋根パネル５０）とを束１７ａにより共通に支持することができるため、三角屋根パネル３０を小型化しつつも束１７ａの個数を増やす必要がなく、その結果束１７の個数増加に伴う屋根パネルの設置工数増大を抑制できる。よって、以上より三角屋根パネル３０の小型化により三角屋根パネル３０の積載効率を向上させ、しかも三角屋根パネル３０の設置工数の増大を抑制できる。
【００６８】
建物本体１２には屋根パネル３０，４０，５０を支持する束１７が設けられており、延出部３５ａの先端部では、隣り合う２つの屋根パネル３０，４０（又は５０）が束１７ａの上端部（詳細にはパネル支持部６５，６６）において互いに連結されている。この場合、隣り合う２つの屋根パネル３０，４０（又は５０）を共通の束１７ａにより支持することができるため、束１７の設置本数の増大ひいては束１７の設置工数の増大を抑制できる。
【００６９】
三角屋根パネル３０の延出部３５ａを隅棟フレーム材３５を用いて構成したため、フレーム材以外の部材を用いて延出部を構成する必要がない。これにより、三角屋根パネル３０に延出部を設ける場合に、三角屋根パネル３０の構成が煩雑化するのを抑制できる。また、隣り合う二つの屋根パネル３０，４０（又は５０）の各野地板３１，４１（又は５１）間に隙間が形成される構成においても、隅棟１９全域にわたってフレーム材を連続して設けることができる。
【００７０】
三角屋根パネル３０の野地板３１と平側屋根パネル４０の野地板４１（又は妻側屋根パネル５０の野地板５１））との間に形成された開口領域Ｓに目板６０を配設したため、各野地板３１，４１（５１）と目板６０とにより連続した屋根下地を形成することができる。これにより、上記効果を得つつ、屋根１３全域に瓦等の床仕上げ材を葺設することが可能となる。
【００７１】
本発明は上記実施形態に限らず、例えば次のように実施されてもよい。
【００７２】
（１）上記実施形態では、隣り合う二つの屋根パネル３０，４０（又は５０）のうち三角屋根パネル３０のみに延出部３５ａを設ける構成としたが、隣り合う二つの屋根パネル３０，４０（又は５０）の両方に延出部を設ける構成としてもよい。例えば、三角屋根パネルの野地板と平側屋根パネルの野地板との間に所定の隙間が形成される構成において、三角屋根パネルには平側屋根パネル側に延びる延出部を設けるとともに、平側屋根パネルには三角屋根パネル側に延びる延出部を設ける。そして、それら各屋根パネルの各々の延出部の先端部を束１７ｂの上端部に連結させる構成が考えられる。この場合、各屋根パネルについて、野地板の大きさを、延出部を有しない通常の屋根パネルの野地板の大きさよりも延出部が形成される分小さくすることができるため、各屋根パネルについて積載効率の向上を図ることができる。
【００７３】
（２）目板６０を、平側屋根パネル４０又は妻側屋根パネル５０に対して折り畳み可能に連結してもよい。具体的には、例えば図７に示すように、目板６０を、ヒンジ８１を介して平側屋根パネル４０と連結することで折り畳み可能とすることが考えられる。この場合、平側屋根パネル４０の搬送時においては、図７（ａ）に示すように目板６０を折り畳むことができ、施工時においては図７（ｂ）に示すように目板６０を展開することで目板６０を所定位置に設置できる。これにより、目板６０の設置作業を簡易化することができる。
【００７４】
なお、ヒンジ８１に代えて、短冊状の板金を平側屋根パネル４０と目板６０とを跨ぐように取り付けてもよい。具体的には、板金に予め折り目を付けておきその折り目が平側屋根パネル４０と目板６０との端部に沿うようにして板金を取り付ける。そうすれば、折り目に沿って目板６０を平側屋根パネル４０に対し折り畳むことができるため、簡素な構成で上記の効果を得ることができる。
【００７５】
（３）延出部３５ａを有する隅棟フレーム材３５の構成は上記実施形態のものに限定されることはなく、その他の構成としてもよい。例えば、野地板３１に固定される固定フレーム材と、野地板３１に固定されず固定フレーム材に対してスライド可能なスライドフレーム材とを有する隅棟フレーム材を、上記実施形態の隅棟フレーム材３５に代えて用いてもよい。その具体例を図８に示す。図８に示す隅棟フレーム材８５は、第一フレーム材８６と第二フレーム材８７とから構成されている。第一フレーム材８６は、野地板３１の斜辺３１ｃに沿って延びるように設けられており、その長手方向の一端部が野地板３１の隣辺３１ａからはみ出した延出部８６ａとなっている。第一フレーム材８６の延出部８６ａには、第二フレーム材８７が第一フレーム材８６の長手方向に延びる向きで、かつ、その一部を延出部８６ａに内側から重ならせた状態で設けられている。この場合、隅棟フレーム材８５の延出部８５ａは、第一フレーム材８６の延出部８６ａと第二フレーム材８７とから構成される。
【００７６】
第二フレーム材８７は、第一フレーム材８６に沿ってスライド可能とされており、スライドさせることにより隅棟フレーム材８５の延出部８５ａの長さを調整できるようになっている。第二フレーム材８７の第一フレーム材８６側の端部にはスライド方向に沿って複数（図８では４つ）の固定孔８８が等間隔で設けられている。一方、第一フレーム材８６の第二フレーム材８７側の端部には周囲にめねじが形成された一対の固定孔（図示略）が上記固定孔８８同士と同じ間隔で設けられている。したがって、複数の各固定孔８８のうち隣り合う一対の固定孔８８にボルト８９を挿通し、第一フレーム材８６の固定孔に同ボルト８９を締結させることで、第二フレーム材８７を第一フレーム材８６に固定することができる。
【００７７】
上記構成によれば、三角屋根パネルの野地板３１と平側屋根パネル４０との離間距離に応じて延出部８５ａの長さを調整することができる。そのため、屋根面の大きさ等に応じて開口領域Ｓが相違しても、長さ調整可能な範囲内においては延出部８５ａの先端部を束１７ａ（詳細にはパネル支持部６５，６６）に連結させることができる。よって、この場合、上記実施形態の効果を実現するに際して都合が好い。
【００７８】
（４）上記実施形態では、目板６０を野地板と同じパーティクルボードにより形成したが、目板６０を野地板とは異なる素材により形成してもよい。例えば、目板をゴム板により形成することが考えられる。この場合、目板を隣接する屋根パネル３０，４０，５０と端部同士密着させた状態で開口領域Ｓに配設すれば、目板と屋根パネル３０，４０，５０との間を通じて水漏れするのを抑制することができる。また、目板の一部に開口部を設け、その開口部に天窓を配設したり、煙突を配設したりしてもよい。
【００７９】
（５）上記実施形態では、三角屋根パネル３０の設置の際、しの孔３９ｂを用いて三角屋根パネル３０の位置合わせを行ったが、その他の方法により位置合わせを行ってもよい。例えば、固定用孔３９ａに固定ボルトを挿通させた状態で同ボルトを予め固定プレート３９に溶接固定しておき、三角屋根パネル３０の設置の際にその固定ボルトを固定用孔６７に挿通させることで位置決めしてもよい。この場合、固定ボルトの固定用孔６７への挿通作業と三角屋根パネル３０の位置決め作業とを同時に行うことができるため、三角屋根パネル３０の設置作業の負荷軽減を図ることができる。
【００８０】
（６）上記実施形態では、各屋根パネル３０，４０，５０に予め鼻先木３３，４３，５３を設ける構成としたが、屋根パネル３０，４０，５０に予め鼻先木３３，４３，５３を設けない構成としてもよい。この場合、施工現場において屋根パネル３０，４０，５０を設置した後、鼻先木３３，４３，５３を屋根パネル３０，４０，５０に取り付ければよい。
【００８１】
（７）上記実施形態では、野地板３１の端縁に沿って設けられた隅棟フレーム材３５を用いて延出部３５ａを構成したが、その他のフレーム材を用いて延出部を構成してもよい。例えば、野地板３１の端縁に沿って設けられていない母屋フレーム材３７を用いて延出部を構成してもよい。但し、この場合、束の設置位置を変更する必要がある点に留意する。また、延出部は必ずしもフレーム材を用いて構成する必要はなく、三角屋根パネル３０に別途専用部材を設けて延出部を構成してもよい。
【００８２】
（８）上記実施形態では、直角三角形状の野地板３１を有する三角屋根パネル３０に対して本発明を適用したが、四角形状等その他の形状の屋根パネルにも本発明を適用することができる。例えば、四角形状の野地板を有する屋根パネルにおいて、野地板の端縁部に沿って設けられたフレーム材（以下端縁フレーム材という）を野地板から一部はみ出させ、そのはみ出した部分を延出部とすることが考えられる。この場合においても、二つの屋根パネルを、トラックの荷台７５上の同一段において、端縁フレーム材が荷台７５の前後方向に延びるように、かつ、各屋根パネルの野地板が荷台７５の前後方向に並ぶようにして積載し、さらに一方の屋根パネルの延出部と他方の屋根パネルの野地板とを荷台７５の左右方向に並ぶように配置することで、屋根パネルの運搬効率を向上させることができる。
【００８３】
（９）上記実施形態では、ユニット式建物への適用例を説明したが、鉄骨軸組工法により構築される建物や、在来木造工法により構築される建物等、他の構造の建物にも本発明を適用することができる。
【符号の説明】
【００８４】
１０…建物、１２…建物本体、１３…屋根、１７…束、１８…大棟、１９…隅棟、３０…屋根パネル及び三角屋根パネルとしての三角屋根パネル、３１…野地板、３５…フレーム材、端縁フレーム材及び斜めフレーム材としての隅棟フレーム材、３５ａ…延出部、４０…屋根パネルとしての平側屋根パネル、５０…屋根パネルとしての妻側屋根パネル、６０…目板、７５…荷台、Ｓ…隙間としての開口領域。
【図１】
0005586204.tif 000002
【図２】
0005586204.tif 000003
【図３】
0005586204.tif 000004
【図４】
0005586204.tif 000005
【図５】
0005586204.tif 000006
【図６】
0005586204.tif 000007
【図７】
0005586204.tif 000008
【図８】
0005586204.tif 000009